(57)【要約】【課題】住宅、とくに二階、三階等多層階への侵入を防ぐための対策がなされた竪樋の支持構造を提供する。【解決手段】竪樋４が嵌合して該竪樋４に介装される円筒体２と、この円筒体２を磁性保持する固定具１とからなる竪樋の支持構造であって、上記固定具１は円筒体２に当接して保持する保持部１１と躯体に取り付けられる取り付け部１２とからなり、上記保持部１１はマグネットで構成されるとともに、上記保持部１１が当接する円筒体２の当接面周辺の内周面には磁性体３が周設され、上記円筒体２は上記固定具１に着脱自在に保持される竪樋支持構造Ａ。【選択図】図１
2006265977.tif 000002
【特許請求の範囲】
【請求項１】
竪樋と嵌合して該竪樋に介装される円筒体と、この円筒体を磁性保持する固定具とからなる竪樋の支持構造であって、上記固定具は円筒体に当接して保持する保持部と躯体に取り付けられる取り付け部とからなり、上記保持部はマグネットで構成されるとともに、上記保持部が当接する円筒体の当接面周辺の内周面には磁性体が周設され、上記円筒体は上記固定具に着脱自在に保持される竪樋支持構造。
【請求項２】
上記円筒体の内周面に周設される磁性体が円筒形に形成された金属磁性体である請求項１に記載の竪樋支持構造。
【請求項３】
上記円筒体が竪樋の下部に介装される請求項１に記載の竪樋支持構造。
【発明の詳細な説明】
【技術分野】
【０００１】
本発明は竪樋を支持する構造に関する。さらに詳しくは、竪樋に介装され、竪樋とともに排水機能する円筒体を磁力を利用して駆体に着脱自在に支持する構造に関する。
【背景技術】
【０００２】
従来、磁力を有する控え金具を用いて竪樋を躯体に固定する技術は種々知られている。例えば、下記特許文献１には前面が開口した円弧状の永久磁石からなる固定具を壁、柱等の取り付け面に固定し、竪樋の外周に取着した環状または弧状の磁性体を上記固定具の円弧状の凹部に嵌合して仮固定し、その後、係止爪により本固定する竪樋控金具が開示されている。
【特許文献１】特開昭５６−４４９号公報（第１〜２頁、第１図、第２図）
【発明の開示】
【発明が解決しようとする課題】
【０００３】
ところで、近年、住宅に侵入して物を盗んだり、覗き見をする等の犯罪が増え、その対策が必要となっている。とくに、二階には竪樋を伝って容易に侵入できるため、竪樋に防犯対策を施すことが必要となりつつある。本発明はこのような問題を解決して、住宅、とくに二階、三階等多層階への侵入を防ぐための手段を備えた竪樋の支持構造を提供することを、その課題とする。
【課題を解決するための手段】
【０００４】
上記課題を解決するために、本発明においては、つぎのような技術的手段を講じている。すなわち、本発明によれば、竪樋と嵌合して該竪樋に介装される円筒体と、この円筒体を磁性保持する固定具とからなる竪樋の支持構造であって、上記固定具は円筒体に当接して保持する保持部と躯体に取り付けられる取り付け部とからなり、上記保持部はマグネットで構成されるとともに、上記保持部が当接する円筒体の当接面周辺の内周面には磁性体が周設され、上記円筒体は上記固定具に着脱自在に保持される竪樋支持構造が提供される。上記保持部はフェロアロイ等の永久磁石で構成される。あるいは磁力を有しない保持手段にプラスチック磁石等公知のマグネットを接着、接合等を行い、複合化して用いてもよい。
【０００５】
上記円筒体自身を金属磁性体で構成し、防錆処理をしてもよい。あるいは、上記円筒体の内周面に金属磁性体を周設して用いてもよい。好ましくは、矩形状の鉄板等、金属磁性体を円筒形に形成し、上記円筒体の内周面に接着剤等で接着して用いられる。また、上記円筒体が竪樋の下部、すなわち排水管と竪樋との間に介装されることが好ましい。
【発明の効果】
【０００６】
請求項１に記載の本発明にかかる竪樋支持構造は上記のとおりであり、円筒体と固定具とからなり、円筒体と当接する固定具の保持部はマグネットで構成され、この円筒体の上記保持部との当接面周辺の内周面には磁性体が周設され、上記円筒体は固定具に着脱自在に磁性保持されているため、磁力よりも大きな力を加えることにより上記円筒体を簡単に取り外すことができる。その結果、外出時に円筒体を取り外して外部から不審者が竪樋を伝って二階に侵入することを防げる。また、不審者が竪樋を伝って侵入しようとした場合、竪樋に接続、一体化された円筒体に想定外の力が加わるため、固定具に磁性保持された円筒体が外れて不審者の侵入を防ぐことができる。
【０００７】
上記円筒体の内周面に周設される磁性体が鉄板等を円筒形に形成してなる金属磁性体であるため、強風等により円筒体が多少回転しても、また上下に位置がずれても上記固定具にしっかりと磁性保持することができる。また、好ましくは、上記円筒体が竪樋の下部、すなわち排水管と竪樋との間に介装されるため、排水管にゴミ等の狭雑物が詰まったときは、円筒体を取り外し、簡単にメンテナンスを行うことができる。
【発明を実施するための最良の形態】
【０００８】
以下、本発明の実施形態について図面を参照して詳細に説明する。図１は、本発明の竪樋支持構造Ａの概略構成を示す分解斜視図である。上記竪樋支持構造Ａは、竪樋４（図２参照）と嵌合する円筒体２と、この円筒体２を保持する固定具１とからなる。上記固定具１は、円筒体２を保持する保持部１１と躯体に取り付けられる取り付け部１２とからなり、上記保持部１１は永久磁石から構成されている。また、円筒体２の保持部１１との当接面周辺の内周面には鉄板等を円筒形に形成してなる磁性体３が接着等により周設されている。なお、この場合、磁性体３は円筒形であるため、円筒体２の内周面に接着等によらずとも嵌合保持させることができる。
【０００９】
図２は上記円筒体２が固定具１に着脱自在に磁性保持されている状態を示す側面図である。図２において、竪樋４は竪樋控え金具５によって躯体に取り付けられ、竪樋４の下端部は円筒体２と嵌合している。また、円筒体２は排水管６に接続され、雨水は竪樋４、円筒体２および排水管６を経て図外排水溝に排出される。図３は、竪樋４の下端部が円筒体２と嵌合している状態を示す側断面図である。上記図２に示したように、竪樋４は竪樋控え金具５によって保持され、円筒体２は固定具１によって磁性保持されているため、竪樋４の下端部は円筒体２に嵌合しているのみで、両者は別個に保持されている。
【００１０】
図４は竪樋４の下部、例えば竪樋４と排水管６との間に介装された本発明にかかる円筒体２を取り外す動作を示す説明図である。図４において、円筒体２に、保持部１１の永久磁石と磁性体３との磁力に抗して矢印の方向に力を加えることにより、簡単に円筒体２を取り外すことができる。例えば、外出時に円筒体２を取り外すことにより外部から不審者が竪樋４を伝って二階に侵入することを防げる。また、不審者が竪樋４を伝って侵入しようとした場合、竪樋４に接続して一体化された円筒体２に想定外の力が加わるため、固定具１に磁性保持された円筒体２が上記と同様の動作により外れ、不審者の侵入を防ぐことができる。さらに、排水管６にゴミ等の狭雑物が詰まったときは、図４に示すように円筒体２を取り外し、簡単にメンテナンスを行うことができる。
【図面の簡単な説明】
【００１１】
【図１】本発明にかかる竪樋支持構造の概略構成を示す分解斜視図である。
【図２】本発明にかかる竪樋支持構造を示す側面図である。
【図３】本発明にかかる円筒体に竪樋が嵌合している状態を示す側断面図である。
【図４】本発明にかかる円筒体を固定具から取り外す動作を示す説明図である。
【符号の説明】
【００１２】
Ａ          本発明にかかる竪樋支持構造
１          固定具
１１        保持部
１２        取り付け部
２          円筒体
３          磁性体
４          竪樋
５          竪樋控え金具
６          排水管
【図１】
2006265977.tif 000003
【図２】
2006265977.tif 000004
【図３】
2006265977.tif 000005
【図４】
2006265977.tif 000006